(57)【要約】【課題】従来の、ＬＥＤの光によりメーターを照らす方法では、暗い所でチューニングを行う際、単色の光による表現しかできなかった。また、指針の挙動を確認しづらいという問題点があった。暗いところでも容易にチューニングを行うことのできる調律器の提供。【解決手段】指針部又は目盛り部に蛍光塗料を塗布したメーターと、蛍光物質を発光させるのに充分なエネルギーを放射することのできるＬＥＤを備えることで、指針部もしくは目盛り部を発光させ、暗い所での調律が、容易となる。【選択図】　図２
2004109173.tif 000002
【特許請求の範囲】
【請求項１】
楽器の音や音楽信号などの基本周波数と比較の基準となる基準周波数との偏差を測定し、その偏差を表示する表示手段を備えた調律装置において、前記表示手段を照らす照明手段として、前記表示手段近傍にＬＥＤを有する調律器。
【請求項２】
前記ＬＥＤは、蛍光物質を発光させることが可能であるエネルギーを有することを特徴とする請求項１記載の調律器。
【請求項３】
前記ＬＥＤは、近紫外線を放射することを特徴とする請求項１記載の調律器。
【請求項４】
前記表示手段はメーターであり、指針部又は目盛り部に、蛍光塗料を塗布したことを特徴とする請求項１から３のうちいずれか１項に記載の調律器。
【請求項５】
前記表示手段はメーターであり、指針部又は目盛り部に、蛍光塗料を練り込んだことを特徴とする請求項１から３のうちいずれか１項に記載の調律器。
【請求項６】
前記ＬＥＤは、レンズ部に光拡散手段を設けたことを特徴とする請求項１から３のうちいずれか１項に記載の調律器。
【請求項７】
前記メーターは、その外周に光拡散手段を設けたことを特徴とする請求項４又は５に記載の調律器。
【請求項８】
前記光拡散手段は、前記メーターも外周に設けられたローレットであることを特徴とする請求項７記載の調律器。
【発明の詳細な説明】
【０００１】
【発明の属する技術分野】
本発明は、楽器を調律するための調律器に係り、特に調律器の表示部に関する。
【０００２】
【従来の技術】
従来より、楽器の音や音楽信号などの基本周波数と比較の基準となる基準周波数との偏差を測定し、その偏差を表示する表示手段を備えた調律器が知られている（例えば、特許文献１参照。）。また、この調律器の表示手段には、指針部と目盛り部で構成されたメーターや、液晶表示素子で構成されたものなどがある（例えば、特許文献２参照。）。
【０００３】
【特許文献１】
特許公開２０００−２４３１３１号公報
【０００４】
【特許文献２】
登録実用新案第３０３３２５５号公報
【０００５】
【発明が解決しようとする課題】
指針部と目盛り部で構成されたメーターの場合は、照明手段として用いられるＬＥＤ自身の光を拡散させ、指針部や目盛り部を照らしている。しかし、このような従来の方法では、暗い所でチューニングを行う際、単色の光による表現しかできなかった。また、指針の挙動を確認しづらいという問題点があった。
【０００６】
特にコンサートにおけるステージ上などの暗い場所において、素早く正確なチューニングが求められる場合、従来の調律器ではその要求を満たすことが難しかった。本発明では、このような点に鑑みてなされたものであり、暗い所で調律を行う場合でも、表示体の目盛りが読みやすく、指針の挙動を容易に確認することが可能である調律器を提供することを目的とする。
【０００７】
【課題を解決するための手段】
上記目的を達成するために、本発明の調律器においては、照明手段として蛍光塗料を発光させるエネルギーを有するＬＥＤを用いたものである。また、メーターの指針部又は目盛り部又は指針部及び目盛り部に蛍光塗料を塗布したものである。上記のように構成された調律器においてメーター近傍に取り付けられたＬＥＤでメーターを照射すると、ＬＥＤ自身の光でメーターを照らし、さらにＬＥＤのエネルギーにより蛍光塗料を励起させ、発光させることができる。
【０００８】
【発明の実施の形態】
以下に本発明の実施例を図面に基づいて説明する。
【０００９】
図１は、本発明における調律器の実施例の正面図である。図１において、本体ケース１０の正面には、表示手段１２、電源・モード設定スイッチ１３、音高設定スイッチ１４、楽音を拾うための内蔵マイク１６、選択した基準音を発音するためのスピーカ１７等が配置されている。本体側面には、楽音を入力するための入力ジャック１５が具備されている。表示手段１２は、指針部２と目盛り部３とを有し、視覚による認識が可能なように、透明樹脂等のケースで周囲を構成したメーターである。各スイッチは、プッシュ式またはスライド式で構成されている。
【００１０】
この調律器を使用するには、まず、調律器の電源・モードスイッチ３を操作し、調律器を電源オンの状態にする。ユーザーは、電源・モードスイッチ３の位置を選択することで、調律するモードをマニュアル又はサウンドから選び、さらにどの音に関してチューニングを行うかを音高設定スイッチ４で選択する。入力ジャック又は内蔵マイクから楽器音が入力されると、選択した音と入力された音とのセント偏差がメーターに表示される。
【００１１】
次に図２に、本発明における調律器のメーターの実施例を示す。
【００１２】
図２において、メーター１２の中央上部に照明手段として用いられるＬＥＤ１を配置する。このＬＥＤ１は、蛍光物質を発光させることが可能なエネルギーを有するものである。本発明における実施例では、このＬＥＤ１は、近紫外線を放射するものである。図１において、メーターの近傍にＬＥＤ１を配置する。指針部２又は目盛り部３には蛍光塗料が塗布又は印刷してある。指針部２は、例えば合成樹脂等で構成され、塗布又は印刷の他に蛍光塗料を練り込んでもよい。目盛りに用いる蛍光塗料の色を使い分け、ＬＥＤを放射すると、例えば、指針２は橙色、目盛り３は青色などと色のバリエーションをつけることができる。
【００１３】
本実施例において、ＬＥＤ１から近紫外線を照射すると、指針部２及び目盛り部３に設けられた蛍光塗料が発光し、暗いところでも容易にメーターの表示を読み取ることが可能となる。ここで、ＬＥＤの照射角度は製品毎に異なることがあり、例えば、照射角度の狭いＬＥＤを図２のような構成のメーターに用いた場合、メーターの中央部のみしか照射できず、蛍光塗料が部分的にしか発光しないことがある。
【００１４】
これについて図３に、レンズ部４に光拡散手段を施したＬＥＤの実施例を示す。
【００１５】
図３に示したＬＥＤは、ＬＥＤランプの周囲のレンズ部４の表面をすりガラス状に仕上げることで光拡散手段を構成している。表面の面粗度が粗いことで、ランプからの光は拡散され、照射角度の狭いＬＥＤであっても、メーター全体を照らすことが可能となった。この光拡散手段はこれに限るものではなく、レンズ表面に溝を複数設けたりしても良い。
【００１６】
光拡散手段をメーターの外周に設けることもできる。図４に光拡散手段を施したメーターの実施例を示す。
【００１７】
図４において、メーター１２のケース部外周１１には、全周にわたってローレット溝が切られている。このローレット溝により、ＬＥＤ１から放射された近紫外線が拡散され、メーター全体を照射する。メーターの光拡散手段は、これに限らずＬＥＤの場合と同様に、すりガラス状にすることや、表面を粗く仕上げることなどが考えられる。
【００１８】
これら光拡散手段を用いれば、ＬＥＤ１の配置は、図１等に示したように、メーター１２の中央上部でなくても良い。例えば、メーターの側面や、下面から照射することも考えられる。これにより、調律器の設計の自由度が上がり、小型化や省コスト化が可能となる。
【００１９】
【発明の効果】
以上説明したようにこの発明を適用した調律器では、メーターに蛍光物質を発光させることが可能なエネルギーを有するＬＥＤと、蛍光塗料を塗布した指針部又は目盛り部を用いたことで、暗い場所で調律を行う際の視覚性の向上をはかることができる。また、複数の蛍光塗料を用いることにより、その数だけのバリエーションをつけることができ、視覚的な効果を得ることができる。
【図面の簡単な説明】
【図１】本発明における調律器の実施例の正面図である。
【図２】本発明における調律器のメーターの実施例である。
【図３】レンズ部に光拡散手段を施したＬＥＤの実施例である。
【図４】光拡散手段を施したメーターの実施例である。
【符号の説明】
１　ＬＥＤ
２　目盛り部
３　指針部
４　ＬＥＤ周辺のレンズ部
１０　本体ケース
１１　ケース外周部
１２　表示手段
１３　電源・モードＳＷ
１４　音高設定ＳＷ
１５　入力ジャック
１６　内蔵マイク
１７　　スピーカＳＷ
【図１】
2004109173.tif 000003
【図２】
2004109173.tif 000004
【図３】
2004109173.tif 000005
【図４】
2004109173.tif 000006